(57)【要約】【課題】  簡単な構成で糸巻きの収納に手間のかからない釣用衣服の提供。【解決手段】  衣服本体に糸巻きを収納する収納空間を有するポケットを備えた釣用衣服であって、前記ポケットの開口部の一部を開閉手段によって開閉自在とし、該開閉手段によってポケットの開口部の一部を閉じた際に開口部の他の部分が前記収納空間に収納した糸巻きから釣糸を引出すための引出し口部とし、釣糸を引出すのに伴って糸巻きが引出し口部に移動した際に引出し口部の両端部が糸巻きに係止するようにした構成。【選択図】  図２
2007046216.tif 000002
【特許請求の範囲】
【請求項１】
衣服本体に糸巻きを収納する収納空間を有するポケットを備え、前記ポケットの開口部の一部を開閉手段によって開閉自在とした釣用衣服であって、該開閉手段は、開口部の一端部から該開口部の開口長さ方向に沿い、且つ開口部の他端部側を前記収納空間に収納した糸巻きから釣糸を引出すための引出し口部とするよう開口部途中まで延長されており、前記釣糸を引出すのに伴って糸巻きが引出し口部に移動した際に引出し口部の両端部が糸巻きに係止するよう構成していることを特徴とする釣用衣服。
【請求項２】
衣服本体とポケットの前面とをまち部を介して連設し、糸巻きに前後方向の押え力を付与すべく該まち部をポケットの引出し口部に遠のくのに伴って幅広から幅狭になる形状に形成していることを特徴とする請求項１記載の釣用衣服。
【請求項３】
衣服本体は左右の前身ごろを有し、ポケットを左右の前身ごろのうち少なくとも一方に設け、開口部の一端部側をポケットにおける上部で衣服本体の左右方向外側に配置するとともに引出し口部を衣服本体の合わせ部側におけるポケットの上隅部領域に位置させ、且つまち部を衣服本体の合わせ部側で引出し口部の下側に設けていることを特徴とする請求項２記載の釣用衣服。
【請求項４】
衣服本体の前面の左右方向に、衣服本体の左右方向外側が幅狭で合わせ部側が幅広となる区分領域部を設け、該区分領域部の途中にポケットが設けられていることを特徴とする請求項３記載の釣用衣服。
【請求項５】
引出し口部を覆うためのフラップを設けていることを特徴とする請求項１ないし請求項４の何れかに記載の釣用衣服。
【請求項６】
フラップの一端部を衣服本体に固定するとともに、フラップの他端部を衣服本体に着脱自在に設け、該他端部を衣服本体から取外した状態で該フラップを衣服本体に設けた収納部に収納可能としていることを特徴とする請求項５記載の釣用衣服。
【請求項７】
開閉手段はスライドファスナであることを特徴とする請求項１ないし請求項６の何れかに記載の釣用衣服。
【請求項８】
スライドファスナは、その一方側のテープ部の裏側に、該一方側のテープ部の幅に比べて大きく、一方側のファスナエレメントに沿って且つ他方側のテープ部の裏側に至るカバー片を設けていることを特徴とする請求項７記載の釣用衣服。
【請求項９】
カバー片の引出し口部側にファスナエレメントの引出し口部側端部を覆う被覆布を設けていることを特徴とする請求項８に記載の釣用衣服。
【請求項１０】
カバー片の引出し口部側を折返して被覆布を折返し片として形成し、該折返し片は、スライドファスナを開いた状態では一方側のファスナエレメントの引出し口部側端部を覆い、スライドファスナを閉じた際に、両方側のファスナエレメントの引出し口部側端部を覆うものであることを特徴とする請求項８または請求項９記載の釣用衣服。
【請求項１１】
折返し片は、三角形状に形成されており、カバー片と折返し片の斜辺部との間を開口としており、スライドファスナを閉じた際に、他方側のファスナエレメントの端部が開口から挿入される構成であることを特徴とする請求項１０記載の釣用衣服。
【請求項１２】
スライドファスナの他方側のテープ部の裏側に、該他方側のテープ部の幅に比べて大きく、他方側のテープ部に沿って且つ一方側のカバー片の裏側に至る別のカバー片を設けていることを特徴とする請求項７ないし請求項１１の何れかに記載の釣用衣服。
【請求項１３】
別のカバー片の引出し口部側に、ファスナエレメントの引出し口部側端部を覆う別の被覆布を設けていることを特徴とする請求項９ないし請求項１２の何れかに記載の釣用衣服。
【請求項１４】
別のカバー片の引出し口部側を折返して、別の被覆布を前記折返し片に対応する位置に別の折返し片として形成し、該別の折返し片はスライドファスナを開いた状態では他方側のファスナエレメントの引出し口部側端部を覆い、スライドファスナを閉じた状態では折返し片を介して両方側のファスナエレメントの引出し口部側端部を覆うものであることを特徴とする請求項１３記載の釣用衣服。
【請求項１５】
別のカバー片は引出し口とほぼ等しい幅を有し、その端部はまち部の端部まで延長されて該まち部の端部に縫着されるとともに、別の被覆布を別のカバー片の途中に設けていることを特徴とする請求項１３または請求項１４に記載の釣用衣服。
【請求項１６】
別の折返し片は、前記折返し片と対称形状の三角形状に形成されており、別のカバー片と別の折返し片の斜辺部との間を開口としており、スライドファスナを閉じた際に、一方側のファスナエレメントの端部が折返し片とともに開口から挿入される構成であることを特徴とする請求項１５記載の釣用衣服。
【発明の詳細な説明】
【技術分野】
【０００１】
本発明は、魚釣りの際に着用するベストやジャケットなどの釣用衣服に関する。
【背景技術】
【０００２】
魚釣りにおいて必要となる釣糸として多種多様なものが提供されており、釣人は魚の種類や大きさ等によって任意の種類の釣糸を選択して仕掛けを作って魚釣りをおこなっている。魚釣りを行っている際に、釣糸が切断されてしまい仕掛けを作り直す必要が生じることもあり、また、狙う魚の種類によって仕掛けを変更すべく、異なる種類の釣糸が必要になることもある。そこで釣糸を巻いた糸巻きを収納可能なポケットを有する釣用衣服が種々提案されている（例えば特許文献１参照）。
【０００３】
上記釣用衣服のポケットは、ポケット本体部の前面側に配置された収納空間と、この収納空間の前方に配置して連通する糸巻き収納空間と、前記収納空間と糸巻き収納空間とを区分する糸巻き装着シートと、この糸巻きシートの前面に起立させるよう設けた軸芯と、ポケット本体部の側面に形成した釣糸引出し口部とを備えている。
【０００４】
上記釣用衣服のポケットは、次のようにして使用する。すなわち、先ず糸巻きをポケット本体部の収納空間に収納する。そして、予め糸巻きの釣糸の端部を釣糸引出し口からポケットの外に引出しておく。そして軸芯を糸巻きの軸穴に挿通するようにして糸巻きを糸巻き収納空間に収納し、続いて糸巻き装着シートで糸巻き収納空間に蓋をし、糸巻き収納空間とポケット本体部の収納空間とを区分する。
【０００５】
上記のように糸巻きをポケットに収納して釣糸の端部を引出すと、糸巻きは軸芯に支持された状態で回転するから、釣糸をポケットから円滑に引出すことが可能となる。
【特許文献１】特開２００５−２９９３７号公報
【発明の開示】
【発明が解決しようとする課題】
【０００６】
しかしながら、上記のようなポケットは構成が複雑であり、また、ポケットに対して糸巻きを収納するのには手間がかかる。
【０００７】
そこで本発明は上記課題に鑑み、簡単な構成で糸巻きの収納に手間のかからない釣用衣服の提供することを課題とする。
【課題を解決するための手段】
【０００８】
本発明は、衣服本体に糸巻きを収納する収納空間を有するポケットを備え、前記ポケットの開口部の一部を開閉手段によって開閉自在とした釣用衣服であって、該開閉手段は開口部の一端部から該開口部の開口長さ方向に沿い、且つ開口部の他端部側を前記収納空間に収納した糸巻きから釣糸を引出すための引出し口部とするよう開口部途中まで延長されており、前記釣糸を引出すのに伴って糸巻きが引出し口部に移動した際に引出し口部の両端部が糸巻きに係止するよう構成していることを特徴としている。
【０００９】
上記構成において、開閉手段を操作してポケットの開口部を開放して収納空間に糸巻きを入れ、開閉手段を操作して開口部を閉じ、収納空間に収納された糸巻きに巻き回した釣糸を引出し口から引出す。このようにポケットの収納空間を開放して閉じるという簡単な動作でポケットに糸巻きを収納可能になり、開口部はその一端部側が全て閉じられるから、糸巻きを収納空間内で安定させやすい。そして、釣糸を引出し口から引出した際、釣糸を引出す力が糸巻きに働いてこれが引出し口部へ向けて移動したとすると、引出し口部の両端部が糸巻きに係止するから、糸巻きが引出し口部から飛び出さない。
【００１０】
本発明の釣用衣服は、衣服本体とポケットの前面とをまち部を介して連設し、糸巻きに前後方向の押え力を付与すべく該まち部をポケットの引出し口部に遠のくのに伴って幅広から幅狭になる形状に形成していることが好ましい。
【００１１】
この構成によれば、糸巻きは押え力によってその場に安定して保持されることになる。
【００１２】
本発明の釣用衣服では、衣服本体は左右の前身ごろを有し、ポケットを左右の前身ごろのうち少なくとも一方に設け、開口部の一端部側をポケットにおける上部で衣服本体の左右方向外側に配置するとともに引出し口部を衣服本体の合わせ部側におけるポケットの上隅部領域に位置させ、且つまち部を衣服本体の合わせ部側で引出し口部の下側に設けていることが好ましい。
【００１３】
この構成によれば、釣糸の端部は釣人の手指をもって行き易い位置となり、右前身ごろにポケットがある場合、このポケットに収納された糸巻きに巻かれた釣糸は左手指で摘めば引出し易く、左前身ごろにポケットがある場合、このポケットに収納された糸巻きに巻かれた釣糸は右手指で摘めば引出し易い。釣糸を押え力に抗して引出し口から引出すことで糸巻きが一方向に回転し、また、糸巻きが偏平な円筒形状である場合、糸巻きは押さえ力により一方向及び他方向へ回転し難くなる。特に、糸巻きが他方向へ回転し難くなることで、釣糸がバックラッシュを起こし難くなる。ここでバックラッシュとは釣糸が糸巻きからまとまって離脱したり、糸巻きへの巻き回し力が緩んだりする状態のことである。また、押え力によって糸巻きが効果的に位置保持される。
【００１４】
本発明の釣用衣服では、衣服本体の前面の左右方向に衣服本体の左右方向外側が幅狭で合わせ部側が幅広となる区分領域部を設け、該区分領域部の途中にポケットが設けられていることが好ましい。
【００１５】
上記構成によれば、釣人が釣用衣服を装着し、ポケットの収納空間に糸巻きを収納した際、区分領域部が糸巻きの容量を吸収して前後方向に立上がるから、釣用衣服を装着して糸巻きをポケットの収納空間に収納しても違和感がない。
【００１６】
本発明の釣用衣服では、引出し口部を覆うためのフラップを設けていることが好ましい。
【００１７】
この構成によれば、雨天の釣行の際、ポケットに開口した引出し口部があってもこれをフラップで覆って雨水がポケット内に浸入するのを効果的に抑えられる。
【００１８】
本発明の釣用衣服では、フラップの一端部を衣服本体に固定するとともに、フラップの他端部を衣服本体に着脱自在に設け、該他端部を衣服本体から取外した状態で該フラップを衣服本体に設けた収納部に収納可能としていることが好ましい。
【００１９】
上記構成によれば、フラップの使用時はこれを収納部から出してフラップの他端部を衣服本体に固定することで引出し口部をフラップで覆い、フラップの不使用時はこの他端部を衣服本体から外して収納部に収納する。一方で、フラップの他端部を衣服本体に固定して引出し口部を覆うようにすれば、フラップの押圧力によって糸巻きの回転やポケット内での移動が効果的に抑制される。
【００２０】
本発明の釣用衣服では、開閉手段はスライドファスナであることが好ましい。この構成によれば、スライドファスナをスライドさせて閉じるという簡単な操作で糸巻きがポケットに保持される。
【００２１】
本発明の釣用衣服では、スライドファスナは、その一方側のテープ部の裏側に、該一方側のテープ部の幅に比べて大きく、一方側のファスナエレメントに沿って且つ他方側のテープ部の裏側に至るカバー片を設けていることが好ましい。
【００２２】
上記構成において、スライドファスナを閉めてなおポケット内に浸入する雨水に対しては、一方側のテープ部の裏側に設けたカバー片が効果的にその浸入を防止することになる。
【００２３】
本発明の釣用衣服では、カバー片の引出し口部側にファスナエレメントの引出し口部側端部を覆う被覆布を設けていることが好ましい。
【００２４】
上記構成によれば、釣人が釣糸をスライドファスナのファスナエレメントどうしの噛合い部端部側に近付くように引出したとしても噛合い部端部を被覆布が覆うから、ファスナエレメントどうしの噛合い部端部に釣糸が挟み込むのを被覆布が防止するから、ファスナエレメントどうしの噛合い部端部に釣糸が挟み込まれることによって釣糸が損傷してしまう状態が回避される。
【００２５】
本発明の釣用衣服は、カバー片の引出し口部側を折返して被覆布を折返し片として形成し、該折返し片は、スライドファスナを開いた状態では一方側のファスナエレメントの引出し口部側端部を覆い、スライドファスナを閉じた際に、両方側のファスナエレメントの引出し口部側端部を覆うものであることを特徴としている。
【００２６】
上記構成によれば、両方側のファスナエレメントの噛合した端部がカバー片と、これを折返した簡単な構成の折返し片とによって覆われる。したがって、ファスナエレメントの引出し口部側端部の噛合部分が覆われることで、釣糸がファスナエレメントの噛合部分に噛込むのが防止される。
【００２７】
本発明の釣用衣服では、折返し片は、三角形状に形成されており、カバー片と折返し片の斜辺部との間を開口としており、スライドファスナを閉じた際に、他方側のファスナエレメントの端部が開口から挿入される構成であることを特徴としている。
【００２８】
上記構成によれば、スライドファスナを閉じる際に、他方側のスライドファスナのファスナエレメントがカバー片と折返し片の斜辺部との間を開口から円滑に挿入される。
【００２９】
本発明の釣用衣服は、スライドファスナの他方側のテープ部の裏側に、該他方側のテープ部の幅に比べて大きく、他方側のテープ部に沿って且つ一方側のカバー片の裏側に至る別のカバー片を設けていることを特徴としている。
【００３０】
上記構成によれば、スライドファスナを閉じた際に、カバー片の下側がさらに別のカバー片で覆われることになるから、その分だけポケット内に雨水等、水が浸入しにくくなる。
【００３１】
本発明の釣用衣服は、別のカバー片の引出し口部側に、ファスナエレメントの引出し口部側端部を覆う別の被覆布を設けていることを特徴としている。
【００３２】
上記構成において、被覆布と別の被覆布の双方でファスナエレメントの引出し口部側端部を覆うことになるから、釣糸がファスナエレメントの引出し口部側端部に噛み込むのを回避して、釣糸の損傷を防止する。
【００３３】
本発明の釣用衣服は、別のカバー片の引出し口部側を折返して、別の被覆布を前記折返し片に対応する位置に別の折返し片として形成し、該別の折返し片はスライドファスナを開いた状態では他方側のファスナエレメントの引出し口部側端部を覆い、スライドファスナを閉じた状態では折返し片を介して両方側のファスナエレメントの引出し口部側端部を覆うものであることを特徴としている。
【００３４】
上記構成において、スライドファスナを開いた状態では、一方側のファスナエレメントの引出し口部側端部は折返し片で覆われており、他方側のファスナエレメントの引出し口部側端部は別の折返し片で覆われており、スライドファスナを閉じると、別の折返し片が折返し片を介してファスナエレメントの引出し口部側端部を覆い、釣糸がファスナエレメントの引出し口部側端部に噛み込むのを回避して、釣糸の損傷を防止する。
【００３５】
本発明の釣用衣服は、別のカバー片は引出し口とほぼ等しい幅を有し、その端部はまち部の端部まで延長されて該まち部の端部に縫着されるとともに、別の被覆布を別のカバー片の途中に設けていることを特徴としている。
【００３６】
上記構成のように、別のカバー片は引出し口とほぼ等しい幅を有し、その端部はまち部の端部まで延長されているから、スライドファスナを閉じた際に引出し口部がほぼ覆われた状態となるから、雨水等が浸入しにくく、しかも引出し口部において別のカバー片とポケットの開口部との隙間から釣糸を引出すことが可能である。さらに、スライドファスナを閉じると折返し片をさらにその引出し口側から別の折返し片が覆うことになるから、その分だけ水の進入が抑えられるとともに、二重の折返し片によって、釣糸がスライドファスナの端部に噛込みにくい。
【００３７】
本発明の釣用衣服では、別の折返し片は、前記折返し片と対称形状の三角形状に形成されており、別のカバー片と別の折返し片の斜辺部との間を開口としており、スライドファスナを閉じた際に、一方側のファスナエレメントの端部が折返し片とともに開口から挿入される構成であることを特徴としている。
【００３８】
上記構成によれば、スライドファスナを閉じる際に、折返し片が別のカバー片と別の折返し片の斜辺部との間の開口から挿入され、ファスナエレメントの引出し口部側端部を覆い、釣糸がファスナエレメントの引出し口部側端部に噛み込むのを回避して、釣糸の損傷を防止し、且つ水の浸入を充分に抑える。
【発明の効果】
【００３９】
本発明によれば、開閉手段を操作してポケットの収納空間を開放してこれに糸巻きを入れ、開閉手段を操作して収納空間を閉じることでポケットに糸巻きを簡単に装着できる。そして、釣糸を引出す力が糸巻きに働いてこれが引出し口部へ向けて移動した場合、引出し口部の長さ方向両側部分に糸巻きが当たるから、糸巻きが引出し口部から飛び出さない。
【発明を実施するための最良の形態】
【００４０】
以下、本発明の実施形態に係る釣用衣服を、磯釣り用いられるフローティングベストを例に説明する。図１は釣用衣服の正面図、図２は要部拡大斜視図、図３（ａ）は要部をさらに拡大するとともにスライドファスナを開いた状態の斜視図、図３（ｂ）は正面概念図、図４は要部縦断面図、図５は同じくスライドファスナを閉じた状態の斜視図、図６はフラップを描いた斜視図である。
【００４１】
図１に示すように、釣用衣服１の衣服本体２は前身ごろ３と後身ごろ４と、前記前身ごろ３と前記後身ごろ４を連設する肩部６とを備えている。前身ごろ３は右前身ごろ３Ａと左前身ごろ３Ｂとからなる。前身ごろ３および後身ごろ４の内部に、不図示の浮力材を着脱自在に設けている。この釣用衣服１は、右前身ごろ３Ａおよび左前身ごろ３Ｂの合わせ部に縫着した着脱用スライドファスナ７を開閉することで、釣人の身体に着脱するタイプのものである。
【００４２】
右前身ごろ３Ａおよび左前身ごろ３Ｂの前面には、上ポケット１１、下ポケット１２、および糸巻き用ポケット１３をそれぞれ備えている。これらポケット１１，１２，１３の構成はそれぞれ左右で対称構造であるだけなので、この実施形態では左前身ごろ３Ｂの各ポケット１１，１２，１３の説明で右前身ごろ３Ａの各ポケット１１，１２，１３の説明を兼用するものとする。左右の前身ごろ３Ａ，３Ｂの前面（外皮）、各ポケット１１，１２，１３を形成するベース基材として、ポリエステルまたはナイロン等の織物または編物が用いられている。
【００４３】
図２に示すように、上ポケット１１は左前身ごろ３Ｂの胸部に相当する領域に位置して左前身ごろ３Ｂの前面生地にまち部材１５を介して縫着されている。下ポケット１２は左前身ごろ３Ｂの腹部に相当する領域に位置して左前身ごろ３Ｂの前面生地３ｂにまち部材１６を介して縫着されている。糸巻き用ポケット１３は、上ポケット１１と下ポケット１２との間に配置されて、主目的として釣用糸巻き（以下、単に「糸巻き」と称す）３５を装着するためのものである。
【００４４】
上ポケット１１および下ポケット１２はそれぞれスライドファスナ８，９によって収納空間１１Ａ，１２Ａが開閉されるものであり、またこれらそれぞれの収納空間１１Ａ，１２Ａは、スライドファスナ８，９によってのみ開閉される構成で、それぞれ前記まち部材１５，１６の深さに応じた容積を有する。
【００４５】
図３（ａ）に示すように、糸巻き用ポケット１３はその収納空間１３Ａを開閉あるいは開放する開口部を有する。この開口部は一端部側の第一開口部１９と、この第一開口部１９の延長にあって釣糸３９を引出すための他端部側の第二開口部（引出し口部に相当する）２０とを有する。釣糸３９としては、ハリス等があげられる。第一開口部１９は糸巻き用ポケット１３の上部で幅方向外側の領域を開閉する部分である。第二開口部２０は、第一開口部１９に延長して衣服本体２の合わせ部側のコーナー部領域を開放する部分であり、図３（ｂ）に示すように、正面視して円弧状に形成されている。
【００４６】
糸巻き用ポケット１３は、袋体２１と、スライドファスナ１０と、まち部材４６を有する。袋体２１は一方を開放した形状であり、その内部が前記収納空間１３Ａとして用いられる。第一開口部１９の開口長さとスライドファスナ１０のスライド長さとがほぼ等しい。
【００４７】
後述するように、左前身ごろ３Ｂの前面生地３ｂを切断してその切断した部分に別体の生地を前面生地３ｂに縫着してなる区分領域部１７を有する。この区分領域部１７は衣服本体２の前面の左右方向に衣服本体２の左右方向外側が幅狭で合わせ部側が幅広となる形状に形成されている。
【００４８】
前記袋体２１は次のようにして左前身ごろ３Ｂに縫着されている。すなわち、左前身ごろ３Ｂの前面生地３ｂにおいて、その前面生地３ｂを左右方向（外方に向けて上傾斜させている）から合わせ部側では上下方向に連続させて切断しており、この切断によって形成された対の切断片部分３０，３１に前記区分領域部１７の前後幅方向両端辺を縫着し、前面生地３ｂの切断片部分３０，３１の切断領域と袋体２１の開放領域とが連通するよう、袋体２１の上端前側片２１ａ、上端後側片２１ｂをそれぞれ区分領域部１７の一部（合わせ部側端部）に縫着している。この構成により袋体２１は左前身ごろ３Ｂに固定されることになる。
【００４９】
なお、袋体２１の正面形状は、好ましくはほぼ糸巻き３５の正面形状に対応する形状に形成され、袋体２１の底生地２２は、その合わせ部側領域２３と左右方向外側領域２４とで異なった形状を有している。すなわち、合わせ部側領域２３は前後の前後端辺部が平行な帯状に形成されており、左右方向外側領域２４は、合わせ部側領域２３に連続して左右
方向外側端部で幅無し（ゼロ幅）に収束する三角形状に形成されている。且つ左右方向外側領域２４は外側ほど上方に傾斜しており、後述のように、区分領域部１７に縫着されている。
【００５０】
ところで、開口部は区分領域部１７の延長上に左右方向外側から第一開口部１９、第二開口部２０の順に配置されている。また、前記まち部材４６は第二開口部２０の下方に設けられて前後の斜辺４６ａ，４６ｂを有して下端部で幅無しに収束して上方ほど広幅になる三角形状に形成され、その前後の斜辺４６ａ，４６ｂが切断片部分３０，３１に縫着されている。このように構成することにより、糸巻き用ポケット１３においては前後方向の幅（深さ）は第二開口部２０、特にその開口長さＬ１方向の中心部で最大となるよう設定されている。さらに、第二開口部２０の開口長さＬ１は糸巻き３５の径Ｄに比べて小さく設定されている。
【００５１】
ここでいう第二開口部２０の開口長さＬ１とは、正面視して円弧状に形成されている第二開口部２０のその円弧によって形成される仮想の玄２５の長さをいう。したがって、第二開口部２０の開口長さＬ１が糸巻き３５の径Ｄに比べて小さいとは、前記仮想の玄２５の長さ（Ｌ１）が糸巻き３５の径Ｄに比べて小さいということである。
【００５２】
ところで、釣用衣服１は、糸巻き用ポケット１３においてスライドファスナ１０の一方側のファスナエレメント５０の裏側に位置するよう、帯状のカバー片５２が、切断片部分３１に縫着されている。カバー片５２は該一方側のファスナエレメント５０の前後幅に比べて大きく且つ一方側のファスナエレメント５０の左右長さ方向に沿い、他方側のファスナエレメント５１の裏側に向けて突出するものである。
【００５３】
カバー片５２の第二開口部２０側が折返されて、三角形状の被覆布としての折返し片２６が形成されている。この折返し片２６によって一方側のファスナエレメント５０の第二開口部２０側端部がその端部側から覆われている。この折返し片２６は、その一辺２６ａが区分領域部１７に縫着され、他の一辺２６ｂがカバー片５２に縫着されており、一辺２６ａと他の一辺２６ｂとの間の斜辺部２７は何れにも縫着されていない。斜辺部２７を何れにも縫着しないことで、ファスナエレメント５０，５１どうしの噛合に邪魔にならないようカバー片５２との間を開放させており、他方のファスナエレメント５１の端部側が進入可能な進入口Ｓ１を斜辺部２７とカバー片５２との間に形成し、斜辺部２７とカバー片５２とでファスナエレメント５１の端側を開放する袋状に形成されている。また、ファスナエレメント５１が進入し易いように折返し片２６は上方に凸となって斜辺部２７は、上方に向けて湾曲している。
【００５４】
さらに釣用衣服１は、図４および図６に示すように、第二開口部２０を覆うためのフラップ５３が設けられている。該フラップ５３はその一端部５３ａが衣服本体２に縫着されるとともに、他端部５３ｂが衣服本体２に着脱手段を介して着脱自在に設けられている。すなわち、第二開口部２０のすぐ上方位置に第二開口部２０の左右方向幅と同等かわずかに大きな幅を有する切込み５４が形成され、この切込み５４の裏面にフラップ５３を収納する袋体５５が、その開口を切込み５４に連通するよう縫着されている。なお、フラップ５３の基端部５３ａは切込み５４のすぐ上側位置に縫着されている。
【００５５】
フラップ５３は、その基端部５３ａ側（縫着されている側）の左右方向幅が切込み５４の左右方向幅と略等しいかわずかに小さく設定され、先端部５３ｂ側が細くなるような形状であって、第二開口部２０を少なくとも上方から覆うことが可能な形状に形成されている。
【００５６】
着脱手段としてドットボタン５６が用いられており、フラップ５３の先端部５３ａ側の裏面と、切断片部分３０の途中部分の何れか一方に雌側のボタン部５７が固定され、他方に雄側のボタン部５８が固定されている。
【００５７】
上記構成において、釣人である使用者は、スライドファスナ７を開いて釣用衣服１を身体に装着する。釣用衣服１は主として上ポケット１１、下ポケット１２には釣行に（釣場で）必要なタックル等を収納する。一方で、糸巻き用ポケット１３には糸巻き３５を装着する。このとき第一開口部１９の開口長さとスライドファスナ１０のスライド長さとがほぼ等しいから、スライドファスナ１０を操作して（スライドファスナ１０の把手１０ａを操作して）第一開口部１９を一端部まで完全に開放することができ、したがって糸巻き３５を収納し易くなる。なお、この実施形態における上ポケット１１、下ポケット１２、糸巻き用ポケット１３は左右の前身ごろ３Ａ，３Ｂの双方に設けられているから、タックル等の釣具の収納スペースとしては豊富である。また糸巻き３５は左右の糸巻き用ポケット１３の何れかに収納してもよいし、双方に異なった号数の釣糸３９（例えばハリス）を巻いた糸巻き３５を収納するようにしてもよい。
【００５８】
そして糸巻き３５を糸巻き用ポケット１３に収納する際には、糸巻き３５に巻かれた釣糸３９の端部を手指で摘んで糸巻き３５からわずかに引出しておき、これを第二開口部２０から引出した状態でスライドファスナ１０を操作して第一開口部１９をその一端部側から閉鎖する。このようにすると開口部のうち第一開口部１９が全て閉じられるから糸巻き３５が収納空間１３Ａ内で安定し易くなる。さらに、まち部材４６は上記のような三角形状に形成されているから、合わせ部から離れる側および下方で糸巻き３５を押圧するような状態となる。換言すれば、糸巻き３５を糸巻き用ポケット１３に収納しスライドファスナ７を操作して第一開口部１９を閉鎖したとき、まち部材４６の形状と、糸巻き用ポケット１３の収納空間１３Ａの前後幅との関係は、スライドファスナ７を閉鎖したとき、合わせ部から離れる側および下方で糸巻き３５に対して前後方向の押圧力を付与するよう設定している。
【００５９】
したがって、糸巻き３５を糸巻き用ポケット１３に収納し、スライドファスナ７を操作して第一開口部１９を閉鎖することで押圧力が働き、これによって、釣人が動いたとしても糸巻き３５の回転を効果的に抑えることができる。糸巻き３５の回転が抑えられると、糸巻き３５に巻かれた釣糸３９がバックラッシュを起こし難くなる。
【００６０】
ところで糸巻き用ポケット１３において、まち部材４６を上記のように三角形状に形成することで糸巻き３５の回転や収納空間１３Ａでの遊びを抑制している。このように、まち部材４６を三角形状に形成しているから、まち部をその両端辺が平行な帯状に形成した場合に比べて、三角形状に形成した分だけ糸巻き用ポケット１３の収納空間１３Ａの容積は小さくなることになる。しかしながら、一方で、まち部材４６を三角形状に形成しているから、糸巻き３５の回転や遊びを抑えつつある程度の容量を確保することができるようになる。このため、糸巻き３５のみでなく他の釣具を収納することも可能である。
【００６１】
そして、ハリス切れ等により釣糸３９が必要なときには、予め第二開口部２０から引出した状態にある釣糸３９の端部を再び手指で摘んで引出すようにする。このとき、例えば左前身ごろ３Ｂの糸巻き用ポケット１３に収納してある糸巻き３５からは、右手指を用いて釣糸３９を引出すことが好ましい。右前身ごろ３Ａの糸巻き用ポケット１３に収納してある糸巻き３５からは、左手指を用いて釣糸３９を引出すことが好ましい。糸巻き用ポケット１３は上ポケット１１と下ポケット１２の間という位置にあって、第二開口部２０は糸巻き用ポケット１３における衣服本体２の合わせ部側の隅部領域を開放しているから、左前身ごろ３Ｂの糸巻き用ポケット１３に収納してあれば、糸巻き３５からは右手指を用いて、また右前身ごろ３Ａの糸巻き用ポケット１３に収納してあれば、糸巻き３５からは左手指を用いて釣糸３９を引出すという動作を、釣人に無理な体勢をさせることなく楽に行うことが可能になる。
【００６２】
そして、釣人がその手指で釣糸３９を引出したとき、その引き力によって糸巻き３５が第二開口部２０側に引かれるが、その開口長さＬ１は糸巻き３５の径Ｄに比べて小さく設定されているから、糸巻き３５の外径部分が第二開口部２０の端部に係止して、糸巻き３５が第二開口部２０から飛び出してしまうような状態を防止することができる。加えて、糸巻き３５の外径部分が第二開口部２０の端部に係止した状態で釣糸３９を引けばその係止力が糸巻き３５に働いて釣糸３９が糸巻きに巻かれている状態を確保することが可能である。
【００６３】
このように、スライドファスナ７を開放して糸巻き３５を糸巻き用ポケット１３に入れ、釣糸３９の端部を第二開口部２０から引出した状態でスライドファスナ７を閉鎖するという釣人の簡単な動作で糸巻き３５を糸巻き用ポケット１３に収納することができ、収納された糸巻き３５はフリーな回転を抑止されるからバックラッシュを防止でき、釣糸３９の引出しも確実に行うことができる。
【００６４】
ところで、糸巻き用ポケット１３においてカバー片５２の第二開口部２０側が折返されて一方側のファスナエレメント５０の第二開口部２０側端部がその端部側から覆われている。したがって、釣人が釣糸３９の端部を把持して、仮にスライドファスナ７側に釣糸３９を移動させてしまった場合でも、図５に示すように、折返し片２６が一方側のファスナエレメント５０の第二開口部２０側端部を覆っているので、この折返し片２６、特にその、他の一辺２６ｂによって、ファスナエレメント５０，５１どうしの噛合部分に釣糸３９が入る状態を阻止することができる。特にファスナエレメント５０，５１が金属等の硬質な材料で形成されている場合には、釣糸３９がファスナエレメント５０，５１どうしの噛合部分に入ると擦れて傷が入り易くなってしまう。しかし、この実施形態によれば、釣糸３９がファスナエレメント５０，５１どうしの噛合部分に入る状態を阻止するから、釣糸３９を保護することができる。
【００６５】
ところで、雨天の釣行の際にはフラップ５３を用いて、糸巻き用ポケット１３に雨水が入るのを防止する。通常フラップ５３は袋体５５に収納しておくことが好ましい。しかし第二開口部２０は常時は開放された状態にあるから、雨天時の釣行では第二開口部２０から雨水が入り易くこの場合、釣用衣服１の装着が不快になり、また釣糸３９が雨水で濡れ
る。したがって、このような状態を防止するために、フラップ５３の一端部５３ａを釣人が手指で掴んでこれを袋体５５から引出し、第二開口部２０を覆うようにしてドットボタン５６のボタン部５７，５８どうしを嵌める。これによって、第二開口部２０から雨水が入り難くなる。加えて、スライドファスナ１０の一方側のファスナエレメント５０の裏側
に帯状のカバー片５２が設けられているから、スライドファスナ１０の縫着部やファスナエレメント５０，５１どうしの噛合部分から雨水入り難い構造となっている。
【００６６】
フラップ５３によって第二開口部２０を覆ったとしても、フラップ５３と第二開口部２０との隙間から釣糸３９は引出すことが可能でるから、フラップ５３の存在が釣糸３９の引出し操作に邪魔になることはない。またフラップ５３の形状は先端部５３ｂ側が細くなっているから手指で把持し易く、したがってドットボタン５６のボタン部５７，５８どうしを嵌めるのも外すのも楽に行うことができる。
【００６７】
第二開口部２０は糸巻き用ポケット１３の上隅部領域に位置するよう構成するとともに、また第二開口部２０は正面視して円弧状になるよう形成して、該円弧の仮想の玄２５の長さＬ２が糸巻き３５の径Ｄに比べて小さくなるよう設定した。しかし、第二開口部２０は必ずしも糸巻き用ポケット１３の上隅部領域に位置させる必要はなく、要するに釣人が無理な姿勢なく手指で釣糸３９を引出し易い位置であればよい。また、第二開口部２０は円弧状である必要はなく、要するに開口長さＬ１を糸巻き３５の径Ｄに比べて小さく設定されており、釣糸３９を引出した際に糸巻き３５の外径部分が第二開口部２０の端部に係止して、糸巻き３５が第二開口部２０から飛び出してしまう状態を防止することができるものであればよい。
【００６８】
上記実施形態は、第一開口部１９の開閉操作はスライドファスナ１０を用いて行う構成としたがこれに限定されるものではない。例えば第一開口部１９に相当する領域のまち部を上下に重なるよう構成し、これらをスライドファスナ１０の代わりにベルベットファスナを用いて第一開口部１９を開閉操作するよう構成することも可能である。またスライドファスナ１０の代わりにドットボタンを用いて第一開口部１９を開閉操作するよう構成することも可能である。
【００６９】
上記実施形態では、カバー片５２の第二開口部２０側を折返して折返し片２６を設けた構成としたがこれに限定されるものではない。スライドファスナ１０の噛合部分に釣糸３９が入るのを防止する手段は、スライドファスナ１０の噛合部分を少なくともその下方から覆うものであればよく、別例として例えば図７および図８に示すような構成のものが考えられる。図７（ａ）は糸巻き用ポケット１３におけるスライドファスナ１０を開いた状態の拡大斜視図、図７（ｂ）は同じくスライドファスナ１０を開いた状態の拡大斜視図、図７（ｃ）は図７（ｂ）における開口長さ方向の概略断面図である。
【００７０】
図７に示すように、前記折返し片２６に加えて、糸巻き用ポケット１３の前面生地１３ａの上縁部に前側端辺部が縫着されるとともにほぼ開口部の開口長さに亙る長さを有して、スライドファスナ１０を閉じた際に、該スライドファスナ１０の裏側に入る帯状の噛込み防止片６０を設けることも可能である。スライドファスナ１０を閉じた際にファスナエレメント５０，５１どうしの噛合部分に釣糸３９が入る状態を阻止するよう、噛込み防止片６０は、その後端辺部６０ａがファスナエレメント５０，５１どうしの噛合部分よりも後方に位置し得る前後幅を有する。尚、噛込み防止片６０における開口部の開口長さ方向外側の各端部は、区分領域部１７、まち部材４６の端部（上辺）にそれぞれ縫着されている。
【００７１】
上記構成によれば、スライドファスナ１０を閉じた際に折返し片２６によってファスナエレメント５０，５１どうしの噛合部分に釣糸３９が噛込むのを防止した上で、噛込み防止片６０によってスライドファスナ１０の裏面側でファスナエレメント５０，５１どうしの噛合部分に釣糸３９が噛込むのをいっそう確実に防止することができる。尚、噛込み防止片６０は所定の前後幅を有することになるから第二開口部（引出し口部）２０の広さはその分だけ減少するが、第二開口部２０は釣糸３９を引出すためのものであるからそれに充分な広さがあればよい。さらには、噛込み防止片６０は第二開口部２０を狭くする分だけ防水性が向上する。他の部分の構成は、図１ないし図６に示した実施形態と同様である
ので、同一の符号を付してその説明を省略する。
【００７２】
図８は別の実施形態を示し、図８（ａ）は糸巻き用ポケット１３におけるスライドファスナ１０を開いた状態の拡大斜視図、（ｂ）は同じくスライドファスナ１０を閉じた状態の拡大斜視図である。この実施形態では折返し片２６を設けず、帯状のカバー片５２を開口部の長さ方向全域に亙って延長させた構成である。そしてカバー片５２は、その前端辺
部５２ａがファスナエレメント５０，５１どうしを噛合させた状態で、その噛合部分よりも前方に位置し得る前後幅を有する。尚、カバー片５２における開口部の開口長さ方向外側の各端部は、区分領域部１７、まち部材４６の端部にそれぞれ縫着されている。
【００７３】
さらに、糸巻き用ポケット１３の収納空間１３Ａに糸巻き３５の回転中心軸となる支軸部材を設けて、糸巻き３５をこの支軸部材に糸巻き３５の中心部を挿通するようにして収納空間１３Ａに収納するように構成することも可能である。あるいは、糸巻き３５に係止してその移動を阻止する部材を設けることも可能である。さらに、糸巻き３５をケースに保持した状態でこのケースを糸巻き用ポケット１３の収納空間１３Ａに収納することも可能である。
【００７４】
図９および図１０は、別の実施形態を示すものである。図９（ａ）はスライドファスナ１０を開いた状態の糸巻き用ポケット１３の要部斜視図、図９（ｂ）は図９（ａ）のＡ−Ａ線断面図、図１０（ａ）はスライドファスナ１０を閉じた状態の糸巻き用ポケット１３の要部斜視図、図１０（ｂ）は図１０（ａ）のＢ−Ｂ線断面図である。
【００７５】
図９および図１０に示す実施形態では、前記スライドファスナ１０を閉じた際に折返し片２６を覆う三角形状の別の折返し片７１を設けたものである。糸巻き用ポケット１３の後方側上部において、前記区分領域部１７の前側縁辺４５ｂに、折返し片２６、スライドファスナ１０の一方側のテープ部５０ａ、カバー片５２、ＰＶＣ製のパイプ部材８０の細幅板状の取付け部８０ａ、袋体２１の後面生地２１ｃの上縁辺が重ねて縫着されている。
【００７６】
また、糸巻き用ポケット１３の前方側上部において、前記まち部材１６の後側縁辺１６ａに折返し片７１の一辺７１ａ、スライドファスナ１０の他方側のテープ部５０ｂ、別のカバー片７０、袋体２１の前面生地２１ｄの上縁辺が重ねて縫着されている。
【００７７】
別のカバー片７０は、図７に示した実施形態の噛込み防止片６０とほぼ同様の機能を有して、スライドファスナ１０の他方側のテープ部５０ｂの幅に比べて大きい幅を有し、且つテープ部５０ｂに沿って前記カバー片５２の裏側方向に向けて突出するとともに、まち部材４６の上縁辺４６ｃまで延長され、その延長部７０ａの先縁辺７０ｂとまち部材４６の上縁辺４６ｃとが縫着されている。
【００７８】
この別のカバー片７０は、スライドファスナ１０を閉じた状態で、ほぼ、まち部材１６の後側縁辺１６ａからパイプ部材８０にいたる幅を有する。折返し片７１は、折返し片２６に比べて大きな面積に設定されている。折返し片７１の別な一辺７１ｂはカバー片７０の途中に縫着されており、折返し片２６、スライドファスナ１０の一方側のテープ部５０ａ、カバー片５２が進入可能なよう折返し片７１の斜辺部７２は何れにも縫着されておらずに、これにより折返し片７１とカバー片７０との間に、折返し片２６側に開放する進入口Ｓ２を、カバー片７０との間で設けて袋状に形成されている。なお、折返し片７１は偏平とすることなく、断面が湾曲するようにまち部材１６とカバー片７０に縫着して頂部の高さをできるだけ高くしている。折返し片７１の別な一辺７１ｂはカバー片７０の途中で、且つ折返し片２６の一辺２６ｂに比べてわずかにまち部材４６側に位置ずれしている。
【００７９】
上記構成において、図９に示すスライドファスナ１０を開いた状態では、特に糸巻き用ポケット１３を開く力が働かなければ、第一開口部１９（例えば図３参照）は、カバー片７０によって閉じられている。カバー片７０は、スライドファスナ１０の他方側のテープ部５０ｂの幅に比べて大きい幅を有していて、カバー片５２の下方に位置しているからである。したがって、糸巻き３５を糸巻き用ポケット１３の収納空間１３Ａに収納するには、まず糸巻き用ポケット１３のまち部材１６等を把持し収納空間１３Ａを広げるようにしてから糸巻き３５を収納空間１３Ａに容易に収納することができる。
【００８０】
上記のようにして糸巻き３５を収納空間１３Ａに収納したら、スライドファスナ１０をその把手１０ａを把持して閉じる。そうすると、スライドファスナ１０のファスナエレメント５０，５１およびその端部どうしが噛合して、第一開口部１９、第二開口部２０の順にスライドファスナ１０によって閉じられることになる。
【００８１】
このとき、糸巻き用ポケット１３ではその前部側が後部側に引き寄せられるようになる。折返し片７１の一辺７１ｂは折返し片２６の一辺２６ｂに比べてわずかにまち部材４６側に位置ずれしており、折返し片７１とカバー片７０との間に、折返し片２６側に開放する進入口Ｓ２を、カバー片７０との間で設けて袋状に形成している。したがって、図１０（ｂ）に示すように、折返し片７１は、折返し片２６に上方から重ね合わされるように覆い、カバー片７０はカバー片５２を下側から重ね合わされるように覆うことになる。
【００８２】
糸巻き用ポケット１３の後方側上部では、区分領域部１７の前側縁辺４５ｂに、ＰＶＣ製のパイプ部材８０の細幅板状の取付け部８０ａが縫着されており、このパイプ部材８０は生地材に比べて硬度が高い。したがって、それより上側に縫着されている折返し片２６、スライドファスナ１０の一方側のテープ部５０ａ、カバー片５２は、上下方向の位置を維持し易い。つまり、糸巻き用ポケット１３の前方側上部が上下方向に不安定な動きをしても、糸巻き用ポケット１３の後方側上部が安定をしているから、折返し片２６が折返し片７１を、また、カバー片５２がカバー片７０を案内し易くなり、したがって、スライドファスナ１０の開閉を安定した状態で、楽に行うことができる。
【００８３】
ところで、上記のようにスライドファスナ１０を完全に閉じると、カバー片７０は、第二開口部２０をほぼ閉鎖するようになる。釣人である使用者は、ハリス切れ等により釣糸３９が必要なときには、予め第二開口部２０から引出した状態にある釣糸３９の端部を手指で摘んで引出すようにする。カバー片７０は、第二開口部２０をほぼ閉鎖した状態となっているが、カバー片７０は、生地であるから、その弾力性故に釣糸３９が第二開口部２０から抜出ないというような状態は生じ難い。
【００８４】
釣り糸３９を引出すことにより糸巻き３５自体が第二開口部２０側へ引かれるが、第二開口部２０の開口長さＬ１は糸巻き３５の径Ｄに比べて小さい（図３参照）から、糸巻き３５が第二開口部２０から飛出ることはない。しかも糸巻き３５が引かれてその外周が別のカバー片７０に接触して回転すると、その摩擦によって、糸巻き３５の余計な回転が抑えられるから、釣糸３９のバックラッシュがいっそう確実に抑えられる。
【００８５】
さらに、第二開口部２０は折返し片７１によってほぼ覆われた状態となっており、例えば釣人が釣糸３９を摘んでこれをまち部材１６の前側に引くような動作をしても、釣糸３９はカバー片７０によって邪魔される。さらに、カバー片７０には折返し片７１を亙して縫着してあるから、折返し片７１がカバー片７０の補強を行うようになって、釣糸３９が大きく前側にずれるような状態を効果的に回避することができる。つまり釣糸３９がスライドファスナ１０側に移動しないから、その端部側に入込みにくい状態となり、釣糸３９がスライドファスナ１０に噛込むような状態をいっそう確実に回避することは勿論である。
【００８６】
さらに、スライドファスナ１０を閉じるとカバー片５２とカバー片７０とが上下で重なるようになるから、防水性が向上し、糸巻き用ポケット１３内への水の浸入を効果的に防止する。また、折返し片７１は折返し片２６より大きく、互いに対応する位置にあるから、折返し片７１は折返し片２６を外方から覆うようになる。したがって、この部分での防水性も確保される。
【００８７】
折返し片７１、折返し片２６どうしは三角形であるから、それらの一部どうしが重なることになる。このように折返し片７１、折返し片２６どうしは一部どうしが重なるだけであるから、スライドファスナ１０の把手１０ａの一部のみを隠れる状態として一部は露出させることが可能であり、したがってスライドファスナ１０の開閉動作は容易である。
【００８８】
なお、上記構成を有する糸巻き用ポケットは、上ポケット１１、下ポケット１２等のポケットに適用させることも可能である。
【図面の簡単な説明】
【００８９】
【図１】本発明の実施形態を示す釣用衣服の全体概略正面図。
【図２】同じく要部拡大斜視図。
【図３】（ａ）は同じく要部をさらに拡大するとともにスライドファスナを開いた状態の斜視図、（ｂ）は正面概念図。
【図４】同じく要部縦断面図。
【図５】同じくスライドファスナを閉じた状態の斜視図。
【図６】同じくフラップを描いた斜視図。
【図７】本発明の他の実施形態を示し、（ａ）は糸巻き用ポケットにおけるスライドファスナを開いた状態の拡大斜視図、（ｂ）はスライドファスナを開いた状態の拡大斜視図、（ｃ）は（ｂ）における開口長さ方向の概略断面図。
【図８】本発明の他の実施形態を示し、（ａ）は糸巻き用ポケットにおけるスライドファスナを開いた状態の拡大斜視図、（ｂ）はスライドファスナを開いた状態の拡大斜視図。
【図９】本発明のさらに他の実施形態を示し、（ａ）はスライドファスナを開いた状態の糸巻き用ポケットの要部斜視図、（ｂ）は（ａ）のＡ−Ａ線断面図。
【図１０】同じく（ａ）はスライドファスナを閉じた状態の糸巻き用ポケットの要部斜視図、（ｂ）は（ａ）のＢ−Ｂ線断面図。
【符号の説明】
【００９０】
１…釣用衣服、２…衣服本体、３…前身ごろ、３Ａ…右前身ごろ、３Ｂ…左前身ごろ、４…後身ごろ、６…肩部、１０…スライドファスナ、１１…上ポケット、１２…下ポケット、１３…糸巻き用ポケット、１３Ａ…収納空間、１６…まち部材、１６ａ…まち部材の後側縁辺、１７…区分領域部、１９…第一開口部、２０…第二開口部、２１…袋体、２２…底生地、２３…合わせ部側領域、２４…左右方向外側領域、２６…折返し片、２７…斜辺部、３０，３１…切断片部分、３５…糸巻き、３９…釣糸、４６…まち部材、４６ｃ…まち部材の上縁辺、５０…ファスナエレメント、５０ａ…一方側のテープ部、５０ｂ…他方側のテープ部、５１…ファスナエレメント、５２…カバー片、５３…フラップ、５３ａ…フラップの一端部、５３ｂ…フラップの他端部、５５…袋体、５６…ドットボタン、６０…噛込み防止片、７０…別のカバー片、７１…別の折返し片、７１ａ…折返し片の一辺、７１ｂ…折返し片の別な一辺、７２…斜辺部、８０…パイプ部材、８０ａ…取付け部、Ｌ１…開口長さ、Ｄ…糸巻きの径、Ｓ１，Ｓ２…進入口
【図１】
2007046216.tif 000003
【図２】
2007046216.tif 000004
【図３】
2007046216.tif 000005
【図４】
2007046216.tif 000006
【図５】
2007046216.tif 000007
【図６】
2007046216.tif 000008
【図７】
2007046216.tif 000009
【図８】
2007046216.tif 000010
【図９】
2007046216.tif 000011
【図１０】
2007046216.tif 000012